(57)【要約】【課題】アルコール検出装置において、被験者へのアルコールの影響を正確に把握すること。【解決手段】被験者の呼気に含まれるアルコールの濃度を時間経過と共に検出し、被験者の体内におけるアルコール代謝状況を解析するアルコール検出装置１において、被験者の呼気を時間経過と共に複数回採取する呼気採取部１０と、この呼気採取部１０により採取した呼気に含まれるアルコールの濃度を検出するアルコール濃度検出部１２と、このアルコール濃度検出部１２が検出したアルコール濃度を、アルコールが被験者の口腔内に存在する第１のフェーズと、アルコールが被験者の胃内に存在する第２のフェーズと、アルコールが被験者の血液を通して肺内に存在する第３のフェーズと、を含む複数のフェーズに分類するフェーズ分類部１３と、を備える。【選択図】図１
2010068926.tif 000002
【特許請求の範囲】
【請求項１】
被験者の呼気を時間経過と共に複数回採取する呼気採取手段と、
この呼気採取手段により採取した呼気に含まれるアルコールの濃度を検出するアルコール濃度検出手段と、
このアルコール濃度検出手段が検出したアルコール濃度を、
アルコールが上記被験者の口腔内に存在する第１のフェーズと、
アルコールが上記被験者の胃内に存在する第２のフェーズと、
アルコールが上記被験者の血液を通して肺内に存在する第３のフェーズと、
を含む複数のフェーズに分類するフェーズ分類手段と、
を備えることを特徴とするアルコール検出装置。
【請求項２】
請求項１記載のアルコール検出装置において、
前記フェーズ分類手段は、
前記被験者の飲酒終了時点から、その後、被験者の口腔内にアルコールが存在する期間を前記第１のフェーズとし、
前記被験者の呼気に含まれるアルコール濃度が前記第１のフェーズから時間の経過と共に前記第１のフェーズと比べて減衰した状態を前記第２のフェーズとし、
前記被験者の呼気に含まれるアルコール濃度が前記第２のフェーズから時間の経過と共に前記第２のフェーズと比べて増加した状態を前記第３のフェーズとする、
ことを特徴とするアルコール検出装置。
【請求項３】
請求項１または２記載のアルコール検出装置において、
前記被験者の体重の情報と、前記第３のフェーズにおける前記被験者のアルコール濃度の情報と、に基づき前記被験者の飲酒量を推定する飲酒量推定手段を備える、
ことを特徴とするアルコール検出装置。
【請求項４】
請求項１から３のいずれか１項記載のアルコール検出装置において、
前記呼気採取手段は、アルコール濃度が比較的高いフェーズでは、アルコール濃度が比較的低いフェーズに比べて呼気採取間隔を長く設定する、
ことを特徴とするアルコール検出装置。
【請求項５】
請求項１から４のいずれか１項記載のアルコール検出装置において、
アルコール濃度が閾値を超えたとき、あるいはアルコール濃度が閾値以上であるときに警報を発出する警報手段を備える、
ことを特徴とするアルコール検出装置。
【請求項６】
請求項１から４のいずれか１項記載のアルコール検出装置において、
アルコール濃度が閾値以下、あるいはアルコール濃度が閾値未満であるときにアルコール濃度が閾値を超えるまで、あるいはアルコール濃度が閾値以上になるまでの時間を予測する濃度増加予測手段を備える、
ことを特徴とするアルコール検出装置。
【請求項７】
請求項１から４のいずれか１項記載のアルコール検出装置において、
アルコール濃度が閾値以上、あるいはアルコール濃度が閾値を超えたときにアルコール濃度が閾値未満、あるいはアルコール濃度が閾値以下になるまでの時間を予測する濃度低下予測手段を備える、
ことを特徴とするアルコール検出装置。
【請求項８】
請求項１から７のいずれか１項記載のアルコール検出装置を備える自動車であって、
アルコール濃度が閾値を超えたとき、あるいはアルコール濃度が閾値以上であるときにエンジンの始動を禁止する、もしくは発進操作を禁止する手段を備えることを特徴とする自動車。
【請求項９】
請求項８記載の自動車において、
前記エンジンの始動を禁止する、もしくは発進操作を禁止する直前に警報発出を行う警報手段を備え、
上記警報手段が警報を発出したときには、前記濃度低下予測手段によるアルコール濃度が閾値未満、あるいはアルコール濃度が閾値以下になるまでの予測時間を推定する、
ことを特徴とする自動車。
【請求項１０】
請求項８または９記載の自動車において、
前記エンジンの始動を禁止する、もしくは発進操作を禁止する直前に警報発出を行う警報手段を備え、
上記警報手段が警報を発出したときには、前記飲酒量推定手段により前記被験者の飲酒量を推定する、
ことを特徴とする自動車。
【発明の詳細な説明】
【技術分野】
【０００１】
本発明は、アルコール検出装置および自動車に関する。
【背景技術】
【０００２】
飲酒により摂取したアルコールの人体への影響や摂取したアルコールの体内における代謝の状況を把握するためのアルコール検出装置が提案されている（例えば、特許文献１または２参照）。また、アルコール検出装置を用いて飲酒運転を防止する装置が提案されている（例えば、特許文献３参照）。
【０００３】
【特許文献１】特開平９−２９４７２９号公報
【特許文献２】特開平６−３４５９０号公報
【特許文献３】特開２００７−１８６１２４号公報
【発明の開示】
【発明が解決しようとする課題】
【０００４】
上述したアルコール検出装置は、いずれも被験者の呼気に含まれるアルコールを検出している。しかしながら、被験者が飲酒を終了してからどのようなタイミングで被験者の呼気を採取したのかという点についてはいずれにも全く言及されていない。このように、被験者の呼気の採取タイミングが不明確である状況下においては、被験者の呼気に含まれるアルコールから被験者へのアルコールの影響を正確に把握することはできない。
【０００５】
例えば、被験者が飲酒終了直後であれば、アルコールは、未だ被験者の口腔内に存在する。この状態で被験者の呼気を採取すれば、きわめて高い濃度のアルコールが検出される。また、アルコールが被験者の口腔内から胃へと移動した直後の状態で呼気を採取したとする。この段階では、アルコールは未だ被験者の血液中に溶け込んでおらず、血液を通して肺の中にも現れていない。よって、あたかも被験者がアルコールを摂取していないかのような低い濃度のアルコールが検出される。さらに、被験者の消化器系から血液中に溶け込んだアルコールが血液を通して肺に現れた状態で被験者の呼気を採取すれば、再び高い濃度のアルコールが検出される。
【０００６】
このように、被験者の呼気に含まれるアルコールの濃度は、被験者が飲酒を終了した時点からの経過時間に応じて様々に遷移している。この遷移の様子を考慮することなく被験者の呼気を採取しても、被験者へのアルコールの影響を正確に把握することは困難である。
【０００７】
本発明は、このような背景の下に行われたものであって、被験者へのアルコールの影響を正確に把握することができるアルコール検出装置および自動車を提供することを目的とする。
【課題を解決するための手段】
【０００８】
本発明のアルコール検出装置は、被験者の呼気を時間経過と共に複数回採取する呼気採取手段と、この呼気採取手段により採取した呼気に含まれるアルコールの濃度を検出するアルコール濃度検出手段と、このアルコール濃度検出手段が検出したアルコール濃度を、アルコールが被験者の口腔内に存在する第１のフェーズと、アルコールが被験者の胃内に存在する第２のフェーズと、アルコールが被験者の血液を通して肺内に存在する第３のフェーズと、を含む複数のフェーズに分類するフェーズ分類手段と、を備えるものである。
【０００９】
例えば、フェーズ分類手段は、被験者の飲酒終了時点から、その後、被験者の口腔内にアルコールが存在する期間を第１のフェーズとし、被験者の呼気に含まれるアルコール濃度が第１のフェーズから時間の経過と共に第１のフェーズと比べて減衰した状態を第２のフェーズとし、被験者の呼気に含まれるアルコール濃度が第２のフェーズから時間の経過と共に第２のフェーズと比べて増加した状態を第３のフェーズとする。
【００１０】
また、被験者の体重の情報と、第３のフェーズにおける被験者のアルコール濃度の情報と、に基づき被験者の飲酒量を推定する飲酒量推定手段を備えることができる。
【００１１】
このときに、呼気採取手段は、アルコール濃度が比較的高いフェーズでは、アルコール濃度が比較的低いフェーズに比べて呼気採取間隔を長く設定することが好ましい。
【００１２】
さらに、アルコール濃度が閾値を超えたとき、あるいはアルコール濃度が閾値以上であるときに警報を発出する警報手段を備えることができる。
【００１３】
さらに、アルコール濃度が閾値以下、あるいはアルコール濃度が閾値未満であるときにアルコール濃度が閾値を超えるまで、あるいはアルコール濃度が閾値以上になるまでの時間を予測する濃度増加予測手段を備えることができる。
【００１４】
さらに、アルコール濃度が閾値以上、あるいはアルコール濃度が閾値を超えたときにアルコール濃度が閾値未満、あるいはアルコール濃度が閾値以下になるまでの時間を予測する濃度低下予測手段を備えることができる。
【００１５】
また、本発明を自動車としての観点から観ると、本発明の自動車は、本発明のアルコール検出装置を備える自動車であって、アルコール濃度が閾値を超えたとき、あるいはアルコール濃度が閾値以上であるときにエンジンの始動を禁止する、もしくは発進操作を禁止する手段を備えるものである。
【００１６】
さらに、エンジンの始動を禁止する、もしくは発進操作を禁止する直前に警報発出を行う警報手段を備え、警報手段が警報を発出したときには、濃度低下予測手段によるアルコール濃度が閾値未満、あるいはアルコール濃度が閾値以下になるまでの予測時間を推定することができる。
【００１７】
さらに、エンジンの始動を禁止する、もしくは発進操作を禁止する直前に警報発出を行う警報手段を備え、警報手段が警報を発出したときには、飲酒量推定手段により被験者の飲酒量を推定することができる。
【発明の効果】
【００１８】
本発明によれば、被験者へのアルコールの影響を正確に把握することができる。
【発明を実施するための最良の形態】
【００１９】
（アルコール検出装置１の構成の説明）
本発明の実施の形態に係るアルコール検出装置１の構成を図１を参照して説明する。図１は、アルコール検出装置１のブロック構成図である。アルコール検出装置１は、呼気採取部１０、アルコールセンサ１１、アルコール濃度検出部１２、フェーズ分類部１３、フェーズ記録部１４、飲酒量推定部１５、警報部１６、アルコール濃度増減予測部１７、操作部１８、表示部１９、体重計２０から構成される。なお、呼気採取部１０の呼気採取制御機能（図示省略）、アルコール濃度検出部１２、フェーズ分類部１３、フェーズ記録部１４、飲酒量推定部１５、警報部１６の警報制御機能（図示省略）、アルコール濃度増減予測部１７、表示部１９の表示制御機能（図示省略）の全部または一部はＣＰＵ(Central Processing Unit)やその他の回路部材で一体的に構成し、その中にインストールされるソフトウェアで各機能を達成するようにしてもよい。
【００２０】
呼気採取部１０は、被験者の呼気を採取する部材である。第一の実現例としては、例えば、呼気採取部１０は、被験者に呼気採取を促すための表示部と呼気を取り入れる取り入れ部からなる部材である。すなわち、呼気採取部１０は、光の点灯やブザー音または音声などにより、被験者に呼気を採取するタイミングであることを通知する。被験者は、呼気採取部１０の表示に促されてアルコールセンサ１１が内部に配置される呼気採取部１０に対して呼気を吹きかける。
【００２１】
また、第二の実現例としては、例えば、被験者は運転者であり、被験者が気密性の高い車内に居るような状況であれば、呼気採取部１０は、被験者のまわりの空気を吸引して内部に配置されるアルコールセンサ１１に向けて吹き付ける装置である。すなわち、呼気採取部１０は、被験者の呼気を採取するタイミングになるとファンなどを回転させることにより自動的に周囲の空気を吸引し、吸引した空気をアルコールセンサ１１に向けて吹き付ける。なお、アルコールセンサ１１は、一般的に市販されているものにより実現できる。例えば、半導体ガスセンサなどの半導体式アルコールセンサにより実現できる。この呼気採取部１０の呼気採取制御機能は、上述したようにＣＰＵとソフトウェアとでこの部材の機能を実現するようにしてもよい。
【００２２】
アルコール濃度検出部１２は、アルコールセンサ１１の検出出力を取り込んでアルコール濃度情報を生成する部材である。このアルコール濃度検出部１２は、上述したようにＣＰＵとソフトウェアとでこの部材の機能を実現するようにしてもよい。
【００２３】
フェーズ分類部１３は、アルコール濃度検出部１２が検出したアルコール濃度情報、およびフェーズ記録部１４からの前回のフェーズ情報に基づき、アルコール濃度検出部１２からのアルコール濃度情報がどのフェーズに分類されるべきかを判定する。このフェーズ分類部１３は、上述したようにＣＰＵとソフトウェアとでこの部材の機能を実現するようにしてもよい。
【００２４】
フェーズ記録部１４は、フェーズ分類部１３の分類結果に基づきアルコール濃度検出部１２が検出したアルコール濃度情報を所定のフェーズのデータとして記録する。このフェーズ記録部１４は、上述したようにＣＰＵとソフトウェアとでこの部材の機能を実現するようにしてもよい。
【００２５】
飲酒量推定部１５は、被験者の体重情報と、フェーズ記録部１４に記録されているアルコール濃度情報とに基づき、被験者の飲酒量を推定する。なお、被験者の体重情報の入力は、基本的には、被験者が操作部１８のキー操作によって入力することとする。その他にも被験者は運転者であり、被験者が運転席に座っているような状況下であれば、運転席に被験者の体重を自動的に測定する体重計２０を備えておき、飲酒量推定部１５は、この装置によって被験者の体重情報を取得することもできる。この飲酒量推定部１５は、上述したようにＣＰＵとソフトウェアとでこの部材の機能を実現するようにしてもよい。
【００２６】
警報部１６は、アルコール濃度がフェーズ記録部１４に記録されている閾値を超えたとき、あるいはアルコール濃度が閾値以上のときに警報を発出する部材である。この警報部１６の警報制御機能は、上述したようにＣＰＵとソフトウェアとでこの部材の機能を実現するようにしてもよい。
【００２７】
アルコール濃度増減予測部１７は、フェーズ記録部１４に記録されたアルコール濃度の情報に基づきアルコール濃度が閾値以下、あるいはアルコール濃度が閾値未満であるときにアルコール濃度が閾値を超えるまで、あるいはアルコール濃度が閾値以上となるまでの時間を予測する。あるいは、アルコール濃度増減予測部１７は、フェーズ記録部１４に記録されたアルコール濃度の情報に基づきアルコール濃度が閾値以上であるとき、あるいはアルコール濃度が閾値を超えたときにアルコール濃度が閾値未満、あるいはアルコール濃度が閾値以下となるまでの時間を予測する。なお、このアルコール濃度増減予測部１７は、上述したようにＣＰＵとソフトウェアとでこの部材の機能を実現するようにしてもよい。
【００２８】
操作部１８は、被験者が操作するキースイッチなどを備える。例えば、被験者は、飲酒が終了したときに操作部１８の所定のキースイッチを操作する。これにより、フェーズ分類部１３は、フェーズの分類を開始する。また、操作部１８は、被験者が飲酒量推定部１５に対して被験者の体重情報を入力する際にも使用される。さらに、操作部１８は、被験者がアルコール濃度増減予測部１７に対して予測指示を与えたり、予測希望時刻ｔ２（詳細は後述する）を入力する際にも使用される。
【００２９】
表示部１９は、フェーズ記録部１４の記録内容、飲酒量推定部１５の飲酒量推定値出力、警報部１６の警報出力、アルコール濃度増減予測部１７のアルコール濃度増減予測時間出力などに基づく表示を行う。この表示部１９の表示制御機能は、上述したようにＣＰＵとソフトウェアとでこの部材の機能を実現するようにしてもよい。
【００３０】
体重計２０は、被験者の体重を測定して飲酒量推定部１５に入力する。また、上述したように、被験者は運転者であり、被験者が運転席に座っているような状況下であれば、運転席に被験者の体重を自動的に測定する体重計２０を備えることもできる。
【００３１】
（各フェーズの説明）
本発明の実施の形態に係るフェーズについて図２および図３を参照して説明する。図２は、本発明の実施の形態に係るフェーズを説明する図である。図３は、図２における飲酒終了以前のアルコール濃度を表す線を消去した図である。図２および図３は、横軸に経過時間をとり、縦軸にアルコール濃度をとる。
【００３２】
（１）♯１−１（増加フェーズ（口腔内）：検出対象外）
フェーズ♯１−１は、被験者が飲酒を開始した直後のフェーズである。被験者の口腔内にアルコールが入るため、被験者の呼気に含まれるアルコール濃度は急激に増加する。ただし、フェーズ♯１−１は、飲酒中であるため、アルコール検出装置１の検出対象のフェーズとはならない。
【００３３】
（２）♯１−２（飲酒フェーズ（口腔内）：途中まで検出対象外）
フェーズ♯１−２は、被験者が飲酒中のフェーズである。フェーズ♯１−２では、被験者の口腔内に常にアルコールが存在するため、被験者の呼気に含まれるアルコール濃度は高い状態が継続する。フェーズ♯１−２において、飲酒終了（一点鎖線で図示）の時点からアルコール検出装置１の検出対象のフェーズとなる。したがって、アルコール検出装置１のフェーズ記録部１４に実際に記録されるのは、飲酒終了以降のアルコール濃度であるから図３に示すアルコール濃度を表す線に相当する部分のみがフェーズ記録部１４にアルコール濃度情報として記録される。
【００３４】
（３）♯２−１（減衰フェーズ（口腔内から胃内）：検出対象）
フェーズ♯２−１は、被験者が飲酒を終了してからわずかに経過した後のフェーズである。このフェーズでは、被験者の口腔内に有ったアルコールは、殆どが胃の方に移動するため、被験者の呼気に含まれるアルコール濃度は急激に減衰する。
【００３５】
（４）♯２−２（減衰フェーズ（胃内）：検出対象）
フェーズ♯２−２は、被験者の胃内にアルコールが存在し、かつ、胃壁からアルコールが血液中に未だ吸収されていない状態である。したがって、呼気に含まれるアルコール濃度は低い状態を継続する。
【００３６】
（５）♯３−１（増加フェーズ（血中から肺内）：検出対象）
フェーズ♯３−１は、被験者の胃内を含む消化器系に存在するアルコールが消化器系から血液中に溶け込み、その血液を通して被験者の肺内にアルコールが現れ始める状態である。よって、被験者の呼気に含まれるアルコール濃度は再び増加する。
【００３７】
（６）♯３−２（減衰フェーズ（血中から肺内）：検出対象）
フェーズ♯３−２は、被験者の血液を通して被験者の肺内にアルコールが現れている状態である。しかしながら、被験者の体内ではアルコールの代謝が進行しており、被験者の呼気に含まれるアルコールも徐々に減衰していく。
【００３８】
なお、図２および図３に示すフェーズ遷移パターンは、説明を分り易くするために、モデル化した例を示したものである。したがって、実際には、飲酒量や被験者の代謝能力によって様々に変化する。しかしながら、アルコール濃度の増減の傾向については、ほぼ図２および図３に示した傾向に合致すると考えてよい。
【００３９】
（フェーズ分類部１４の動作の説明）
次に、アルコール検出装置１におけるフェーズ分類部１３の動作を図４のフローチャートを参照して説明する。図４は、フェーズ分類部１３の動作を示すフローチャートである。
【００４０】
被験者は、飲酒が終了したことを操作部１８の所定のキースイッチの操作などによりフェーズ分類部１３に対して通知する。また、この通知は、呼気採取部１０にも伝達される。なお、飲酒が終了したことを通知するのではなく、アルコール検出装置１を飲酒を終了した後に、動作させることでスタートさせるようにしてもよい。
【００４１】
図４に示すように、フェーズ分類部１３は、被験者による操作部１８の操作によって被験者の飲酒終了タイミングを検出する（ステップＳ１）。フェーズ分類部１３は、この時点を図２に示すフェーズ♯１−２として仮に分類する。さらに、フェーズ分類部１３は、この仮のフェーズ分類結果をアルコール濃度の情報と共にフェーズ記録部１４に出力する。フェーズ記録部１４はこれらを仮に記録する（ステップＳ２）。
【００４２】
呼気採取部１０は、操作部１８からの飲酒終了タイミングまたは検査開始の通知を受け取ると、所定時間経過後に、被験者の呼気採取を行う（ステップＳ３）。採取された被験者の呼気は呼気採取部１０を通りアルコールセンサ１１に吹きつけられる。これによりアルコール濃度検出部１２は、アルコール濃度を検出する（ステップＳ４）。なお、ステップＳ３の呼気採取とステップＳ４のアルコール濃度検出とは、ステップＳ５において、アルコール濃度の減衰が検出されず（ステップＳ５のＮｏ）、かつステップＳ５Ａにてアルコール濃度の増加が検出されない内（ステップＳ５ＡのＮｏ）は繰り返し行われる。
【００４３】
アルコール濃度検出部１２は、アルコール濃度の減衰が検出されないまま（ステップＳ５のＮｏ）、アルコール濃度の増加を検出したら（ステップＳ５ＡのＹｅｓ）、これは明らかにフェーズ♯１−２への仮の分類が誤りであったと判断できるので、フェーズ記録部１４におけるフェーズ♯１−２の仮記録を取り消す（ステップＳ５Ｂ）。さらに、ステップＳ５でアルコール濃度の減衰が検出されないまま（ステップＳ５のＮｏ）、ステップＳ５Ａでアルコール濃度の増加を検出したのであるから（ステップＳ５ＡのＹｅｓ）、これはフェーズ♯３−１に分類されるべき状態である。よって、フェーズ分類部１３は、前の状態をフェーズ♯２−２に分類する。フェーズ記録部１４は、これを記録する（ステップＳ５Ｂ）。さらに、フェーズ分類部１３は、ステップＳ１４に移行し、現状をフェーズ♯３−１として分類する。フェーズ記録部１４は、これを記録する（ステップＳ１４）。ここまでのフローは、アルコール検出装置１のスタート時点が既にフェーズ♯２−２であったことを示す。
【００４４】
呼気採取部１０は、フェーズ分類部１３からのフェーズ分類結果（フェーズ♯３−１に分類）を受け取ると、所定時間経過後に、被験者の呼気採取を行う（ステップＳ１５）。採取された被験者の呼気はアルコールセンサ１１に吹きつけられる。これによりアルコール濃度検出部１２は、アルコール濃度を検出する（ステップＳ１６）。なお、ステップＳ１５の呼気採取とステップＳ１６のアルコール濃度検出とは、ステップＳ１７において、アルコール濃度の減衰が検出されるまで繰り返し行われる。
【００４５】
フェーズ分類部１３は、フェーズ♯３−１から時間の経過と共にフェーズ♯３−１におけるアルコール濃度が減衰した状態を検出すると（ステップＳ１７のＹｅｓ）、これをフェーズ♯３−２に分類する。さらに、フェーズ分類部１３は、このフェーズ分類結果をアルコール濃度の情報と共にフェーズ記録部１４に出力する。フェーズ記録部１４は、これを記録する（ステップＳ１８）。
【００４６】
一方、ステップＳ５の処理において、フェーズ分類部１３は、フェーズ♯１−２から時間の経過と共にフェーズ♯１−２と比べてアルコール濃度が減衰した状態を検出すると（ステップＳ５のＹｅｓ）、これをフェーズ♯２−１として仮に分類する。フェーズ分類部１３は、この仮のフェーズ分類結果をアルコール濃度の情報と共にフェーズ記録部１４に出力する。フェーズ記録部１４は、仮の分類結果を仮に記録する（ステップＳ６）。
【００４７】
呼気採取部１０は、フェーズ分類部１３からの仮のフェーズ分類結果（フェーズ♯２−１に分類）を受け取ると、所定時間経過後に、被験者の呼気採取を行う（ステップＳ７）。採取された被験者の呼気はアルコールセンサ１１に吹きつけられる。これによりアルコール濃度検出部１２は、アルコール濃度を検出する（ステップＳ８）。なお、ステップＳ７の呼気採取とステップＳ８のアルコール濃度検出とは、ステップＳ９において、アルコール濃度の減衰停止が検出されず（ステップＳ９のＮｏ）、ステップＳ９Ａにて所定時間が経過していない内（ステップＳ９ＡのＮｏ）は繰り返し行われる。
【００４８】
アルコール濃度検出部１２は、アルコール濃度の減衰停止が検出されないまま（ステップＳ９のＮｏ）、所定時間が経過しても（ステップＳ９ＡのＹｅｓ）、未だアルコール濃度の減衰停止が検出されていなければ（ステップＳ９のＮｏ）、これは明らかにフェーズ♯２−１への分類が誤っていると判断できるので、フェーズ記録部１４に仮記録されているフェーズ♯２−１の仮の記録を取り消す（ステップＳ９Ｂ）。そして、ステップＳ９でアルコール濃度の減衰停止が検出されないまま（ステップＳ９のＮｏ）、ステップＳ９Ａで所定時間が経過しているのであるから（ステップＳ９ＡのＹｅｓ）、この状態はフェーズ♯３−２に分類されるべき状態である。よって、フェーズ分類部１３は、前の状態をフェーズ♯３−１に分類する。フェーズ記録部１４は、これを記録する（ステップＳ９Ｂ）。さらに、フェーズ分類部１３は、ステップＳ１８に移行し、現状をフェーズ♯３−２として分類する。フェーズ記録部１４は、これを記録する（ステップＳ１８）。なお、ステップＳ９Ａの所定時間は、フェーズ♯２−１ではなくフェーズ♯３−２と確定できる時間が好ましい。例えば、所定時間は、２０分以上が好ましく、３０以上であれば確実である。ここまでのフローは、アルコール検出装置１のスタート時点が既にフェーズ♯３−２であったことを示す。よって、ステップＳ９Ｂにおいて、前の状態をフェーズ♯３−１としたが、その正確な期間の情報は不明確となる。
【００４９】
一方、ステップＳ９、ステップＳ９Ａの処理において、フェーズ分類部１３は、仮に分類されたフェーズ♯２−１からステップＳ９Ａにおける所定時間が経過する以前に、仮のフェーズ♯２−１におけるアルコール濃度の減衰が停止した状態を検出すると（ステップＳ９のＹｅｓ）、これをフェーズ♯２−２に分類する。フェーズ分類部１３は、このフェーズ分類結果をアルコール濃度の情報と共にフェーズ記録部１４に出力する。これにより、フェーズ記録部１４は、仮記録されていたフェーズ♯１−２、♯２−１を正式に記録し、かつ、フェーズ分類結果であるフェーズ♯２−２を記録する（ステップＳ１０）。
【００５０】
呼気採取部１０は、フェーズ分類部１３からのフェーズ分類結果（フェーズ♯２−２に分類）を受け取ると、所定時間経過後に、被験者の呼気採取を行う（ステップＳ１１）。採取された被験者の呼気はアルコールセンサ１１に吹きつけられる。これによりアルコール濃度検出部１２は、アルコール濃度を検出する（ステップＳ１２）。なお、ステップＳ１１の呼気採取とステップＳ１２のアルコール濃度検出とは、ステップＳ１３において、アルコール濃度の増加が検出されるまで繰り返し行われる。
【００５１】
フェーズ分類部１３は、フェーズ♯２−２から時間の経過と共にフェーズ♯２−２におけるアルコール濃度が増加した状態を検出すると（ステップＳ１３のＹｅｓ）、これをフェーズ♯３−１に分類する。さらに、フェーズ分類部１３は、このフェーズ分類結果をアルコール濃度の情報と共にフェーズ記録部１４に出力する。フェーズ記録部１４は、これを記録する（ステップＳ１４）。
【００５２】
呼気採取部１０は、フェーズ分類部１３からのフェーズ分類結果（フェーズ♯３−１に分類）を受け取ると、所定時間経過後に、被験者の呼気採取を行う（ステップＳ１５）。採取された被験者の呼気はアルコールセンサ１１に吹きつけられる。これによりアルコール濃度検出部１２は、アルコール濃度を検出する（ステップＳ１６）。なお、ステップＳ１５の呼気採取とステップＳ１６のアルコール濃度検出とは、ステップＳ１７において、アルコール濃度の減衰が検出されるまで繰り返し行われる。
【００５３】
フェーズ分類部１３は、フェーズ♯３−１から時間の経過と共にフェーズ♯３−１におけるアルコール濃度が減衰した状態を検出すると（ステップＳ１７のＹｅｓ）、これをフェーズ♯３−２に分類する。さらに、フェーズ分類部１３は、このフェーズ分類結果をアルコール濃度の情報と共にフェーズ記録部１４に出力する。フェーズ記録部１４は、これを記録する（ステップＳ１８）。
【００５４】
これにより、フェーズ分類部１３による分類とフェーズ記録部１４による記録は完了する。上述した分類では、大きく分けて、被験者の飲酒終了時点から、その後、アルコール（酒）が被験者の口腔内に存在する期間である第１のフェーズとなるフェーズ♯１−２と、被験者の呼気に含まれるアルコール濃度が第１のフェーズから時間の経過と共に第１のフェーズと比べて減衰した状態である第２のフェーズとなるフェーズ♯２−１およびフェーズ♯２−２と、被験者の呼気に含まれるアルコール濃度が第２のフェーズから時間の経過と共に第２のフェーズと比べて増加した状態である第３のフェーズとなるフェーズ♯３−１とに分類している。なお、フェーズ♯３−２は、後半になると第２のフェーズに比べてアルコール濃度が少なくなっているが、前半では第２のフェーズに比べてアルコール濃度が増加した状態であるので、フェーズ♯３−２の前半部分についても第３のフェーズに入れてよい。
【００５５】
実際には、ステップＳ１８に続き、アルコール濃度が減衰を続け、やがて閾値以下となり、さらにはゼロとなるまでの過程においてもアルコール濃度の検出を継続することが好ましい。このときに、フェーズ♯３−２をさらに細分化し、アルコール濃度が閾値以上、あるいはアルコール濃度が閾値を超えるフェーズと、アルコール濃度が閾値と一致するフェーズ、アルコール濃度が閾値以下、あるいはアルコール濃度が閾値未満となるフェーズとにそれぞれ分類することが好ましい。
【００５６】
また、呼気採取部１０は、アルコール濃度検出部１２からアルコール濃度情報も取得しており、アルコール濃度が比較的高いフェーズや比較的高い値が検出された際には、アルコール濃度が比較的低いフェーズや比較的低い値が検出されたときに比べて呼気採取間隔を長く設定するようになっている。すなわち、アルコール濃度が明らかに閾値を超えているフェーズや検出時においては、短時間経過後に閾値を下回るアルコール濃度となる可能性は低い。これに対し、アルコール濃度が閾値近傍のフェーズや検出時においては、短時間経過後にアルコール濃度が閾値以下、あるいはアルコール濃度が閾値未満となる可能性がある。よって、アルコール濃度が高いフェーズまたは／および検出時点では、アルコール濃度が低いフェーズや検出時に比べて、呼気採取間隔を長くしている。これにより、被験者が頻繁に呼気採取を行う煩わしさを軽減できる。なお、このように呼気採取間隔を変化させるのではなく、常に一定間隔で採取するようにしてもよい。
【００５７】
図５および図６は、呼気採取部１０におけるアルコール濃度と採取間隔との関係を示す図である。図５および図６は、横軸にアルコール濃度をとり、縦軸に採取間隔をとる。図５でわかるように、呼気採取部１０は、アルコール濃度が（ａ１）ｍｇ／Ｌ以下では１分間隔で呼気採取を行う。これに対し、呼気採取部１０は、アルコール濃度が（ａ１）ｍｇ／Ｌを超え、（ａ２）ｍｇ／Ｌ以下のときには、１分〜５分の間で採取間隔を増減させる。また、呼気採取部１０は、アルコール濃度が（ａ２）ｍｇ／Ｌを超えるときには、採取間隔を５分以上で増減させる。
【００５８】
また、図６に示すような関係としてもよい。すなわち、呼気採取部１０は、アルコール濃度が（ｂ１）ｍｇ／Ｌ以下では３０秒間隔で呼気採取を行い、アルコール濃度が（ｂ１）ｍｇ／Ｌを超え、（ｂ２）ｍｇ／Ｌ以下では２分間隔で呼気採取を行い、アルコール濃度が（ｂ２）ｍｇ／Ｌを超え（ｂ３）ｍｇ／Ｌ以下では４分間隔で呼気採取を行うなどのようにする。
【００５９】
（飲酒量推定部１５の動作の説明）
次に、飲酒量推定部１５の動作を説明する。飲酒量推定部１５は、被験者の体重情報と呼気に含まれるアルコール濃度情報とを取得し、飲酒量の推定値を出力する。すなわち、呼気に含まれるアルコール濃度の情報から血液中に溶け込んでいるアルコール量を推定する。例えば、呼気に含まれるアルコール濃度がどれくらいであれば、血液の単位量（例えば１ｃｃ）当たりにどれくらいの量のアルコールが溶け込んでいるかを推定することができる。このように、呼気に含まれるアルコール濃度と血液中に含まれるアルコール量との関係は、多くの実験によって統計的に求めることができる。さらに、被験者の体重が分かれば、被験者が有する血液量が推定できる。これにより、被験者が摂取したアルコール量を推定することができる。
【００６０】
ただし、呼気に含まれるアルコール濃度の情報と血液中に溶け込んでいるアルコール量の情報とが正確に対応するフェーズは、図２、図３に示すフェーズ♯３−２のみである。なぜなら、フェーズ♯１−２は、アルコールが口腔内に存在するフェーズであり、アルコールは血液中には溶け込んでいないから呼気に含まれるアルコール濃度の情報と血液中に溶け込んでいるアルコール量の情報とは対応しない。また、フェーズ♯２−１およびフェーズ♯２−２は、アルコールが胃内に存在するフェーズであり、このフェーズでもアルコールは血液中には溶け込んでいないから呼気に含まれるアルコール濃度の情報と血液中に溶け込んでいるアルコール量の情報とは対応しない。また、フェーズ♯３−１は、アルコールが血液中に溶け込みつつあるフェーズであり、被験者が飲酒したアルコールの全部は、未だ血液中に溶け込んでいないから呼気に含まれるアルコール濃度の情報と血液中に溶け込んでいるアルコール量の情報とは対応しない。よって、呼気に含まれるアルコール濃度の情報と血液中に溶け込んでいるアルコール量の情報とが対応するのはフェーズ♯３−２のみである。
【００６１】
さらに、フェーズ♯３−２では、フェーズ♯３−１とフェーズ♯３−２との境界におけるアルコール濃度を最大値として時間の経過と共にアルコール濃度が減衰する。これは被験者の体内でアルコールの代謝が進行していることに起因する。また、人の体内でのアルコール代謝能力は、個人差が大きい。よって、被験者の体内でアルコールの代謝が進行する以前における呼気に含まれるアルコール濃度に基づき被験者の飲酒量を推定することが好ましい。
【００６２】
このような原理に基づく飲酒量推定部１５における飲酒量推定動作を図７のフローチャートを参照して説明する。飲酒量推定部１５は、被験者の体重情報が操作部１８などを介して入力されているか否かを確認する（ステップＳ２０）。さらに、フェーズ記録部１４に記録されているフェーズがフェーズ♯３−２であるか否かを確認する（ステップＳ２１）。
【００６３】
飲酒量推定部１５は、被験者の体重情報が入力され（ステップＳ２０のＹｅｓ）、かつ、フェーズ♯３−２であれば（ステップＳ２１のＹｅｓ）、フェーズ記録部１４からフェーズ♯３−２内のアルコール濃度の最大値を取得する（ステップＳ２２）。なお、ここで最大値を取得する理由は、前述したとおりである。続いて、フェーズ♯３−２内のアルコール濃度の最大値に基づき被験者の飲酒量を推定する計算を実行する（ステップＳ２３）。計算式の一例を挙げると、
【００６４】
被験者の飲酒量（アルコール摂取量）＝（体重から推定した全血液量（ｃｃ））×（呼気に含まれるアルコール濃度から推定した血液の単位量（例えば１ｃｃ）当たりに含まれるアルコール量）±調整量
になる。
【００６５】
なお、調整量とは、例えば、性別や年齢などによる補正値である。すなわち、同じ体重であっても男性と女性とでは全血液量に差がある。あるいは、同じ体重であっても若年層と高齢層とでは全血液量に差がある。このような差異を補正するために調整量を適宜設けることが好ましい。
【００６６】
（警報部１６の動作の説明）
次に、警報部１６の動作について説明する。警報部１６は、図２、図３に示す閾値をアルコール濃度が超えたとき、あるいはアルコール濃度が閾値以上になったときに警報を発出する。また、アルコール濃度が閾値以下、あるいはアルコール濃度が閾値未満になったときに警報を停止する。
【００６７】
警報出力は、この実施の形態では、表示部１９に画像データやテキストデータにより表示される。その他にも警報出力として、ランプ類の点灯や点滅、あるいは、ブザーの鳴動や合成音声によるメッセージ送出などがある。これによって被験者にアルコール濃度が閾値を超えたこと、あるいはアルコール濃度が閾値以上になったことを通知することができる。その他にも警報出力として、アルコール濃度が閾値を超えたとき、あるいは、アルコール濃度が閾値以上になったときに、自動車等の機械の操作を禁止させる制御出力の送出などがある。
【００６８】
（アルコール濃度増減予測部１７の動作の説明）
次に、アルコール濃度増減予測部１７の動作について説明する。アルコール濃度増減予測部１７は、図３に示すフェーズの遷移に鑑み、今後のアルコール濃度の増減を予測する。アルコール濃度増減予測部１７の動作を図８〜図１４を参照して説明する。
【００６９】
図８は、時刻ｔ１におけるフェーズと時刻ｔ１までのアルコール濃度の変移を示す図である。図８に示すように、被験者は、アルコール濃度増減予測部１７に対して図７に示すフェーズ遷移における時刻ｔ１において時刻ｔ２におけるアルコール濃度の予測を指示したとする。すなわち、被験者は、時刻ｔ１において、（ｔ２−ｔ１）時間後のアルコール濃度の予測をアルコール濃度増減予測部１７に対して指示したとする。
【００７０】
図９〜図１２は、それぞれフェーズ遷移パターンのテンプレートを示す図である。アルコール濃度増減予測部１７は、図９〜図１２に示すようなフェーズ遷移パターンのテンプレートを予め保持している。このテンプレートは、アルコール検出装置１の出荷前に、多数の実験によって得られたものである。あるいは、アルコール検出装置１の出荷後に、ユーザ（被験者）から実際に検出したアルコール濃度の記録をフェーズ遷移パターンのテンプレートとして用いてもよい。また、出荷前と出荷後のものを合わせてテンプレートとして保持したり、さらに、両者を混ぜ合わせることにより新たなテンプレートを作成してもよい。
【００７１】
出荷前のテンプレートであれば、アルコール検出装置１の出荷直後であってもフェーズ遷移パターンのテンプレートを保持しているので、アルコール濃度増減予測部１７の機能は使用可能である。これに対し、出荷後のテンプレートのみであれば、アルコール検出装置１の出荷直後には未だフェーズ遷移パターンのテンプレートを保持していないため、アルコール濃度増減予測部１７の機能は使用できない。その代わりに、ユーザから実際に検出したアルコール濃度の記録をそのままフェーズ遷移パターンのテンプレートとして使用するので、予測精度は前者よりも高くすることができる。
【００７２】
また、出荷前と出荷後のテンプレートを併用する場合、アルコール検出装置１の出荷前に多数の実験によって得られたフェーズ遷移パターンのテンプレートを保持しつつ、アルコール検出装置１の出荷後にユーザから実際に検出したアルコール濃度の記録に基づくフェーズ遷移パターンのテンプレートをさらに追加することとなる。これによれば、アルコール検出装置１の出荷直後であってもアルコール濃度増減予測部１７の機能は使用可能であり、さらに、アルコール検出装置１の出荷後には、ユーザから実際に検出したアルコール濃度の記録に基づくフェーズ遷移パターンのテンプレートを用いて精度の高い予測を行うことができる。
【００７３】
アルコール濃度増減予測部１７は、図９〜図１２に示すテンプレートの中から図７の時刻ｔ１までのフェーズ遷移パターンに近似するフェーズ遷移パターンを有するテンプレートを探索する。例えば、図８においては、フェーズ♯１−２における縦軸（アルコール濃度）の高さがＬ１である。この点に着目すると、図１０に示すテンプレートのフェーズ♯１−２における縦軸（アルコール濃度）の高さがＬ１であり、図８のフェーズ遷移パターンと近似していることがわかる。なお、このような縦軸の高さＬ１の比較は、説明を分り易くするために行ったものであり、パターンを構成する直線（または曲線）の角度や長さといった様々な要因によって、パターン形状の近似を調べることができるものとする。
【００７４】
このようにして選択した図１０のテンプレートを図８のフェーズ遷移パターンに重ね合わせることによって、図１３に破線で示すように、時刻ｔ２におけるアルコール濃度の予測が可能になる。図１３の例では、時刻ｔ２におけるアルコール濃度は（ａ２）ｍｇ／Ｌである。
【００７５】
アルコール濃度増減予測部１７の動作を図１４のフローチャートを参照して説明する。図１４に示すように、アルコール濃度増減予測部１７は、操作部１８を介して被験者から予測希望時刻ｔ２の情報を取得する。また、図示外の時計から現在時刻ｔ１の情報を取得する（ステップＳ３０）。つぎに、アルコール濃度増減予測部１７は、フェーズ記録部１４の記録を参照して飲酒終了から現在時刻ｔ１までの被験者のフェーズ遷移パターン情報を取得する（ステップＳ３１）。
【００７６】
アルコール濃度増減予測部１７は、保持しているテンプレートの中から被験者のフェーズ遷移パターンと近似するフェーズ遷移パターンのテンプレートを選択する（Ｓ３２）。ここで、テンプレートが選択できたら（ステップＳ３３のＹｅｓ）、アルコール濃度増減予測部１７は、被験者の飲酒終了から現在時刻ｔ１までのフェーズ遷移パターンに選択したテンプレートを合成する（ステップＳ３４）。これにより、アルコール濃度増減予測部１７は、予測希望時刻ｔ２におけるアルコール濃度を推定する（ステップＳ３５）。さらに、アルコール濃度増減予測部１７は、アルコール濃度が閾値未満となる時刻ｔ３を推定する（ステップＳ３６）。この推定結果は、表示部１９に表示される。なお、ステップＳ３３でテンプレートが選択できなかったときには（ステップＳ３３のＮｏ）、予測不可を表示部１９に表示する（ステップＳ３７）。
【００７７】
（応用例）
次に、アルコール検出装置１を用いて、飲酒を行った後の被験者における自動車等の機械操作の可否判定を行う応用例について説明する。図１５は、応用例の動作を示すフローチャートである。ここで被験者は、自動車等の機械操作を行う運転者またはオペレータである。
【００７８】
フェーズ分類部１３は、被験者の飲酒終了や検査開始を、被験者の操作部１８の操作入力などによって検出する（ステップＳ４０）。これにより、フェーズ分類部１３は、図４に示すフェーズ分類フローを実行する（ステップＳ４１）。その結果、アルコール濃度が閾値以上であれば（ステップＳ４２のＹｅｓ）、警報部１６は、警報を発出すると共に、自動車等の機械操作のインターロックを開始する（ステップＳ４３）。ここで、インターロックとは、例えば、自動車であれば、エンジンの始動を禁止する、あるいは、エンジンの始動は許可するが自動車の発進は禁止する、などである。また、工作機械であれば、電源の投入を禁止する、などである。
【００７９】
続いて、飲酒量推定部１５は、被験者の体重情報を取得する（ステップＳ４４）。この体重情報の取得は、自動車であれば、運転席などのシートの荷重を測定することによって自動的に行うことができる。または、被験者が自分の体重の情報を操作部１８のキー操作によって、飲酒量推定部１５に入力してもよい。これにより、飲酒量推定部１５は、図７に示す飲酒量推定計算フローを実行する（ステップＳ４５）。その結果として、飲酒量推定部１５は、飲酒量推定値を出力する（ステップＳ４６）。出力された飲酒量推定値は、表示部１９に表示されると共に、外部記憶装置などに記録される。あるいは、通信回線を介して管理者に通報される。
【００８０】
続いて、アルコール濃度増減予測部１７は、図１４に示すアルコール濃度増減予測フローを実行する（ステップＳ４７）。例えば、被験者が機械操作を開始したい希望の時間を時刻ｔ２として入力する。また、アルコール濃度増減予測部１７は、アルコール濃度が閾値未満となる時刻ｔ３を推定して表示部１９に表示を行う（ステップＳ４８）。これにより、被験者は、あとどれくらいで警報解除およびインターロック解除となり、機械操作が可能になるかを知ることができる。
【００８１】
アルコール検出装置１は、単体で使用してもよいし、自動車等の機械に搭載して使用してもよい。特に、アルコール検出装置１を自動車に搭載し、図１５のフローを実行させることによって、飲酒運転を防止する自動車を実現することができる。
【００８２】
（本発明の実施の形態の効果の説明）
この実施の形態のアルコール検出装置１は、被験者の飲酒終了後からの被験者の呼気に含まれるアルコール濃度に基づき被験者の体内におけるアルコールの状態を複数のフェーズに分類することができる。これにより、被験者の体内で飲酒により摂取したアルコールが完全に血液中に溶け込んでいるフェーズを見つけ出すことができる。よって、このときに、被験者の呼気に含まれるアルコール濃度から被験者の血液中に溶け込んでいるアルコール量をほぼ正確に推定することができる。したがって、被験者の飲酒量を推定することも可能になる。
【００８３】
さらに、フェーズに分類し、そのフェーズの遷移を予測することから、今後、被験者の呼気に含まれるアルコール濃度が上がるのか下がるのかを推定することができる。また、どれくらいの時間で被験者の呼気に含まれるアルコール濃度が閾値以下、または閾値未満となるのかを推定することができる。
【００８４】
また、アルコール検出装置１を自動車に搭載し、図１５に示すフローを実行させることにより、飲酒運転を防止できる自動車を実現することができる。さらに、運転者（被験者）に対し、あとどれくらい待てば運転可能になるかといった情報を提供することができる。また、運転者（被験者）の管理者に対し、運転者の飲酒量の情報などを提供することができる。
【００８５】
（変形例）
本実施の形態は、本発明の要旨を逸脱しない限り、様々に変更が可能である。例えば、図１５においてステップＳ４２で閾値以上のときに、ステップＳ４３で警報発出およびインターロック開始としている。これに対し、ステップＳ４２で閾値を超えたときとしてもよい。また、閾値は、国によって運転禁止となる値が異なるので、その閾値を変更できるようにするのが好ましい。さらに、閾値として、運転禁止となる値とするのが好ましいが、運転禁止となる値より高い値としたり、低い値としてもよい。また、ステップＳ４２の閾値を図２、図３の閾値ではなく、その閾値の８０％の値を閾値とし、その他の値としてもよい。
【００８６】
また、図１５のフローチャートにおいて、被験者の体重情報取得（ステップＳ４４）から飲酒量推定値出力（ステップＳ４６）までの手順を、アルコール濃度増減予測フロー実行（ステップＳ４７）および警報解除およびインターロック解除予測表示（ステップＳ４８）の後に行ってもよい。
【００８７】
また、図１に示す構成において、呼気採取部１０、アルコールセンサ１１、アルコール濃度検出部１２、警報部１６、操作部１８、表示部１９、体重計２０のみを被験者の近傍に設置し、フェーズ分類部１３、フェーズ記録部１４、飲酒量推定部１５、アルコール濃度増減予測部１７を被験者から離れた場所に設置して通信回線によって接続してもよい。これによれば、フェーズ分類部１３、フェーズ記録部１４、飲酒量推定部１５、アルコール濃度増減予測部１７を備える１台のアルコール検出装置１を、複数の被験者が利用することができる。
【００８８】
また、閾値をフェーズ記録部１４が保持しているとして説明したが、警報部１６または他の部が保持してもよい。また、フェーズ分類部１３とフェーズ記録部１４とを別に設けず、１つのものとしてもよい。
【００８９】
また、自動的に、フェーズ分類部１３に被験者の飲酒終了を通知してもよい。すなわち、検出開始を自動的に行ってもよい。例えば、操作部１８にＧＰＳ(Global Positioning System)などの位置情報を検出する装置を備える。被験者の飲酒場所が判明しているような場合には、このＧＰＳにより、被験者が飲酒場所から移動した時点を飲酒終了タイミングとして自動的にフェーズ分類部１３に通知するようにできる。
【図面の簡単な説明】
【００９０】
【図１】本発明の実施の形態に係るアルコール検出装置のブロック構成図である。
【図２】図１のアルコール検出装置が分類するフェーズを説明する図である。
【図３】図１のアルコール検出装置が記録するフェーズを説明する図である。
【図４】図１のアルコール検出装置のフェーズ分類動作を示すフローチャートである。
【図５】図１のアルコール検出装置のフェーズ分類動作における呼気採取間隔の変化を示す図である。
【図６】図１のアルコール検出装置のフェーズ分類動作における呼気採取間隔の変化を示す図である（ただし、他の変化）。
【図７】図１のアルコール検出装置の飲酒量推定動作を示すフローチャートである。
【図８】図１のアルコール検出装置のアルコール濃度増減予測動作を説明するための図であり、アルコール濃度増減予測指示時刻ｔ１の状態を示す図である。
【図９】図１のアルコール検出装置が保持するフェーズ遷移パターンのテンプレートの例１を示す図である。
【図１０】図１のアルコール検出装置が保持するフェーズ遷移パターンのテンプレートの例２を示す図である。
【図１１】図１のアルコール検出装置が保持するフェーズ遷移パターンのテンプレートの例３を示す図である。
【図１２】図１のアルコール検出装置が保持するフェーズ遷移パターンのテンプレートの例４を示す図である。
【図１３】図１のアルコール検出装置のアルコール濃度増減予測動作を説明するための図であり、時刻ｔ２におけるアルコール濃度を予測した状態を示す図である。
【図１４】図１のアルコール検出装置のアルコール濃度増減予測動作を示すフローチャートである。
【図１５】図１のアルコール検出装置の応用例の動作を示すフローチャートである。
【符号の説明】
【００９１】
１  アルコール検出装置、１０  呼気採取部（呼気採取手段）、１１  アルコールセンサ、１２  アルコール濃度検出部（アルコール濃度検出手段）、１３  フェーズ分類部（フェーズ分類手段）、１４  フェーズ記録部、１５  飲酒量推定部（飲酒量推定手段）、１６  警報部（警報手段）、１７  アルコール濃度増減予測部（濃度増加予測手段、濃度低下予測手段）、１８  操作部、１９  表示部、２０  体重計
【図１】
2010068926.tif 000003
【図２】
2010068926.tif 000004
【図３】
2010068926.tif 000005
【図４】
2010068926.tif 000006
【図５】
2010068926.tif 000007
【図６】
2010068926.tif 000008
【図７】
2010068926.tif 000009
【図８】
2010068926.tif 000010
【図９】
2010068926.tif 000011
【図１０】
2010068926.tif 000012
【図１１】
2010068926.tif 000013
【図１２】
2010068926.tif 000014
【図１３】
2010068926.tif 000015
【図１４】
2010068926.tif 000016
【図１５】
2010068926.tif 000017